(57)【要約】【課題】 使用者の好みにあった力で押圧することのできる施療装置を提供する。【解決手段】  膨縮して人体の部位を施療するするエアバッグＡ２,Ａ３と、このエアバッグＡ２,Ａ３を膨縮させる給排気装置５０とを備えた施療装置であって、エアバッグＡ２,Ａ３は、硬い材質の第１エアバッグＡ２ａ,Ａ３ａの上に柔らかい材質の第２エアバッグＡ２ｂ,Ａ３ｂを重ね、この第１,第２エアバッグＡ２ａ,Ａ３ａ,Ａ２ｂ,Ａ３ｂをそれぞれ独立して膨縮させる。【選択図】  図１
2005211262.tif 000002
【特許請求の範囲】
【請求項１】
膨縮して人体の部位を施療するエアバッグと、このエアバッグを膨縮させる給排気装置とを備えた施療装置であって、
前記エアバッグは、硬い材質の第１エアバッグの上に柔らかい材質の第２エアバッグを重ねて構成し、この第１,第２エアバッグをそれぞれ独立して膨縮させることを特徴とする施療装置。
【発明の詳細な説明】
【技術分野】
【０００１】
この発明は、エアバッグの膨縮によって人体の所定部位を押圧して施療を行う施療装置に関する。
【背景技術】
【０００２】
従来から、背凭れ部や座部にエアバッグを設けたマッサージ装置が知られている（特許文献１参照）。
【０００３】
かかるマッサージ装置は、背凭れ部に肉薄に構成されたエアバッグを設け、座部に肉厚に構成されたエアバッグを設けている。
【０００４】
このマッサージ装置によれば、肉厚のエアバッグの膨張により強い押圧力を臀部に与えることができ、肉薄のエアバッグの膨張により弱い押圧力を背中に与えることができる。
【特許文献１】特公平５−８３２６２号公報
【発明の開示】
【発明が解決しようとする課題】
【０００５】
しかしながら、このようなマッサージ装置にあっては、背中を弱い力で押圧することができるが強く押圧することができず、逆に臀部を強い力で押圧することができるが弱い力で押圧することができず、使用者の好みにあった力で押圧することができないという問題があった。
【０００６】
この発明の目的は、使用者の好みにあった力で押圧することのできる施療装置を提供することにある。
【課題を解決するための手段】
【０００７】
請求項１の発明は、膨縮して人体の部位を施療するエアバッグと、このエアバッグを膨縮させる給排気装置とを備えた施療装置であって、
前記エアバッグは、硬い材質の第１エアバッグの上に柔らかい材質の第２エアバッグを重ねて構成し、この第１,第２エアバッグをそれぞれ独立して膨縮させることを特徴とする。
【発明の効果】
【０００８】
この発明によれば、第１エアバッグを膨張させることにより強い押圧力で第２エアバッグを介して人体の所定部位を押圧することができ、第２エアバッグを膨張させることによりソフトな力で人体の所定部位を押圧することができるので、使用者の好みにあった力で所定部位を押圧することができる。
【発明を実施するための最良の形態】
【０００９】
以下、この発明に係る椅子式の施療装置（マッサージ装置）の実施例を図面に基づいて説明する。
【実施例】
【００１０】
図１に示す椅子式の施療装置１０は、座部１１と、この座部１１の後ろに設けたリクライニングが可能な背凭れ部１２と、座部１１の前に設けたオットマン２０と、座部１１の両側に設けたアームレスト部１４,１５と、座部１１の下側に設けられた給排気装置５０とを有している。また、アームレスト部１４には各種の操作を行う操作部１６が設けられている。操作部１６には、メインスイッチＳ１やマッサージモードを設定するモードスイッチＳ２等が設けられている。
【００１１】
背凭れ部１２には、布製の背骨用のエアバッグ（施療手段）Ａ１と肩甲骨用の一対のエアバッグＡ２,Ａ３とが設けられている。
【００１２】
エアバッグＡ２は、図２に示すように硬い材質のポリエチレン製の第１エアバッグＡ２ａと、この第１エアバッグＡ２ａの上に重ねられた柔らかい材質の第２エアバッグＡ２ｂとを有している。
【００１３】
第１エアバッグＡ２ａは、ブロー成形により成形されたものであり、図５に示すように先端に行くほど小さくなるように段階的な形状に膨張し、突出する先端部ＳＴの面積が小さくなっている。
【００１４】
第２エアバッグＡ２ｂは、図３に示すように２層構造の２つのシート３０,３１から構成されている。シート３０,３１は、内側がポリウレタンからなる第１シート３０ａ,３１ａと、この第１シート３０ａ,３１ａの外側を覆ったナイロンの繊維からなる第２シート３０ｂ,３１ｂとから構成されている。そして、これらシート３０,３１の周囲を溶着させたものである。
【００１５】
第１エアバッグＡ２ａおよび第２エアバッグＡ２ｂはともに外側（エアバッグＡ１と反対側）がビスＮにより背凭れ部１２のベース板１８に固定されている。
【００１６】
そして、ベース板１８やエアバッグＡ１〜Ａ３は背凭れ部１２のカバーＫ１によって覆われている。
【００１７】
エアバッグＡ３もエアバッグＡ２と同様な構成なのでその説明は省略する。
【００１８】
座部１１には、臀部用の布製のエアバッグ（施療手段）Ａ４と腿用の布製のエアバッグ（施療手段）Ａ５とが設けられている。エアバッグＡ４,Ａ５は座部１１のカバーＫ２により覆われている。
【００１９】
オットマン２０には、脚部を入れる凹部２１,２１が形成され、これら凹部２１,２１の両側壁部２３にエアバッグ（施療手段）２４Ａ〜２４Ｄが設けられており、エアバッグ２４Ａ〜２４Ｄの膨縮により脹ら脛のマッサージを行うようになっている。また、オットマン２０は座部１１の先端部の軸Ｊを支軸として回動可能に取り付けられている。
【００２０】
給排気装置５０は、図４に示すように、エアーを給気するためのポンプ５１と、エアバッグＡ１〜Ａ５を膨縮させるための電磁弁Ｅ１,Ｅ２ａ〜Ｅ３ｂ,Ｅ４,Ｅ５と、エアバッグ２４Ａ〜２４Ｄを膨縮させるための電磁弁Ｅ６,Ｅ７と、各電磁弁Ｅ１,Ｅ２ａ〜Ｅ３ｂ,Ｅ４〜Ｅ７を制御する制御装置５２等とを備えている。
【００２１】
各電磁弁Ｅ１,Ｅ２ａ〜Ｅ３ｂ,Ｅ４〜Ｅ７は三方弁であり、各電磁弁Ｅ１,Ｅ２ａ〜Ｅ３ｂ,Ｅ４〜Ｅ７の弁が第１位置に切り換わるとエアバッグＡ１〜Ａ５,２４Ａ〜２４Ｄとポンプ５１とが連通して各エアバッグＡ１〜Ａ５,２４Ａ〜２４Ｄが膨張し、第２位置に切り換わるとその連通路が閉成されて各エアバッグＡ１〜Ａ５,２４Ａ〜２４Ｄが膨張した状態に維持され、第３位置に切り換わると各エアバッグＡ１〜Ａ５,２４Ａ〜２４Ｄは外気に連通されて収縮していくようになっている。
［動  作］
次に、上記のように構成される椅子式の施療装置１０の動作を説明する。なお、メインスイッチＳ１がオフしているときにはエアバッグＡ１〜Ａ５,２４Ａ〜２４Ｄは収縮しており、電磁弁Ｅ１〜Ｅ７は第３位置に切り換わっている。
【００２２】
操作部１６のメインスイッチＳ１をオンし、モードスイッチＳ２を操作して例えば肩甲骨の指圧モードを設定し、スタートスイッチ（図示せず）を押すと、ポンプ５１が駆動されるとともに電磁弁Ｅ２ａ,Ｅ３ａが制御装置５２により制御されて第１位置へ切り換えられる。電磁弁Ｅ２ａ,Ｅ３ａが第１位置へ切り換えられると、エアバッグＡ２ａが図５の実線で示すように膨張していく。エアバッグＡ３ａも同様に膨張していく。
【００２３】
エアバッグＡ２ａ,Ａ３ａは  硬い材質で形成されているのでその硬さは柔らかい材質のエアバッグＡ２ｂ,Ａ３ｂを介して人体へ伝わり、強い力で肩甲骨を押圧していくことになる。また、膨張したエアバッグＡ２ａ,Ａ３ａの先端部は面積が小さく且つエアバッグＡ２ａ,Ａ３ａが硬いことにより、指圧効果を得ることができる。
【００２４】
エアバッグＡ２ａ,Ａ３ａが一定時間膨張されると、ポンプ５１の駆動が停止されるとともに、電磁弁Ｅ２ａ,Ｅ３ａは第２位置に切り換えられてエアバッグＡ２ａ,Ａ３ａの膨張が維持される。
【００２５】
そして、ポンプ５１が停止してから所定時間経過すると、電磁弁Ｅ２ａ,Ｅ３ａは第３位置へ切り換えられて、エアバッグＡ２ａ,Ａ３ａは収縮されていく。
【００２６】
これら動作が繰り返し行われて肩甲骨の指圧モードが終了する。
＜肋間施療モード＞
モードスイッチＳ２を操作して例えば肋間施療モードを設定し、スタートスイッチ（図示せず）を押すと、ポンプ５１が駆動されるとともに電磁弁Ｅ２ｂ,Ｅ３ｂが制御装置５２により制御されて第１位置へ切り換えられる。電磁弁Ｅ２ｂ,Ｅ３ｂが第１位置へ切り換えられると、エアバッグＡ２ｂが図６の実線で示すように膨張していく。エアバッグＡ３ｂも同様に膨張していく。
【００２７】
この膨張によりエアバッグＡ２ｂ,Ａ３ｂは肩甲骨を押圧していく。エアバッグＡ２ｂ,Ａ３ｂは柔らかい材質で形成されているのでその肩甲骨を広い面で押圧していくことになり、その押圧はソフトなものとなる。また、エアバッグＡ２ｂ,Ａ３ｂは外側が固定されていることにより内側から外側へ膨張していき、肋間が広げられて肋間のストレッチが行われることになる。
【００２８】
エアバッグＡ２ｂ,Ａ３ｂが所定時間膨張されると、ポンプ５１が停止されるとともに電磁弁Ｅ２ｂ,Ｅ３ｂが第２位置に切り換わり、エアバッグＡ２ｂ,Ａ３ｂの膨張が維持される。この後、電磁弁Ｅ２ｂ,Ｅ３ｂは第３位置に切り換えられてエアバッグＡ２ｂ,Ａ３ｂは収縮されていく。これら動作が数回繰り返し行われて肋間ストレッチモードは終了する。
【００２９】
このように、エアバッグＡ２ｂ,Ａ３ｂを膨張させることにより肩甲骨をソフトな力で押圧していき、エアバッグＡ２ａ,Ａ３ａを膨張させることにより肩甲骨を強い力で押圧していくので、使用者の好みにあった力で所定部位を押圧することができる。
【００３０】
他のマッサージモードが設定された場合には、各モードに対応した電磁弁Ｅ１〜Ｅ７がそれぞれ制御されて各エアバッグＡ１〜Ａ５,２４Ａ〜２４Ｄが膨縮され、これら各エアバッグＡ１〜Ａ５,２４Ａ〜２４Ｄの膨縮により人体の各部の施療が行われる。
【００３１】
上記実施例では、椅子式の施療装置について説明したが、マット式の施療装置であってもよい。また、他のエアバッグＡ１,Ａ４,２４Ａ〜２４ＤをエアバッグＡ２,Ａ３と同じ構成にしてもよい。
【図面の簡単な説明】
【００３２】
【図１】この発明に係る椅子式の施療装置の外観を示した斜視図である。
【図２】背凭れ部に設けたエアバッグを示した説明図である。
【図３】第２エアバッグの構成を示した断面図である。
【図４】施療装置の給排気装置の構成を示したブロック図である。
【図５】第１エアバグが膨張した状態を示した説明図である。
【図６】第２エアバッグが膨張した状態を示した説明図である。
【符号の説明】
【００３３】
１０            施療装置
５０            給排気装置
Ａ２            エアバッグ
Ａ３            エアバッグ
Ａ２ａ          第１エアバッグ
Ａ３ａ          第１エアバッグ
Ａ２ｂ          第２エアバッグ
Ａ３ｂ          第２エアバッグ
【図１】
2005211262.tif 000003
【図２】
2005211262.tif 000004
【図３】
2005211262.tif 000005
【図４】
2005211262.tif 000006
【図５】
2005211262.tif 000007
【図６】
2005211262.tif 000008